(57)【特許請求の範囲】
【請求項１】
浮力調整用空気を導入可能なジャケット（３）と、前記ジャケットの背中側に設けられたバックプレート（２２）と、前記バックプレートの幅方向へ延び前記バックプレートにエアーシリンダを固定可能なシリンダバンド（２）とを有し、前記バンドが、前記バックプレートの幅方向ヘ延びる帯状部（３１）と、前記帯状部の一端部（３３）に前記帯状部よりも広幅で前記帯状部の前記一端部に対する反対端部（３４）を挿通可能な連結具（３５）と、前記連結具を介して前記一端部に取り付けられたバックル（３２）とを含む潜水用浮力調整器において、
前記バックル（３２）は、前記帯状部（３１）の幅方向へ延びると共に前記帯状部の長さ方向において並列し、前記反対端部（３４）を順次通すことが可能な複数条のバンド挿通孔を有し、前記バンドの長さ方向において前記バンド挿通孔の両側に位置して前記挿通孔の側壁を画成している双方の部位には、前記反対端部を通すときの順序を示す同一の文字と、前記挿通孔を挟んで互いに対向する同一形状の指標とが記されていることを特徴とする前記潜水用浮力調整器。
【請求項２】
浮力調整用空気を導入可能なジャケット（３）と、前記ジャケットの背中側に設けられたバックプレート（２２）と、前記バックプレートの幅方向へ延び前記バックプレートにエアーシリンダを固定可能なシリンダバンド（２）とを有し、前記バンドが、前記バックプレートの幅方向ヘ延びる帯状部（３１）と、前記帯状部の一端部（３３）に前記帯状部よりも広幅で前記帯状部の前記一端部に対する反対端部（３４）を挿通可能な連結具（３５）と、前記連結具を介して前記一端部に取り付けられたバックル（３２）とを含む潜水用浮力調整器において、
前記バックル（３２）は、前記帯状部（３１）の反対端部（３４）寄りの前端部（３６）と、前記連結具（３５）寄りの後端部（３７）と、前記両端部（３６，３７）をつなぐ第１縁部（３８）と、第２縁部（３９）とを有し、前記両端部（３６，３７）間には、前記帯状部（３１）の幅方向へ長く、前記帯状部（３１）の長さ方向に並列するバンド第１，第２，第３挿通孔（Ａ，Ｂ，Ｃ）が形成され、
隣り合う前記第１挿通孔（Ａ）と前記第２挿通孔（Ｂ），前記第２挿通孔（Ｂ）と前記第３挿通孔（Ｃ）は、第１側壁（４１）と第２側壁（４２）とによって隔てられ、前記第１挿通孔（Ａ）の両側には前記前端部（３６）からなる側壁と第１側壁（４１）とが位置し、前記第２挿通孔（Ｂ）の両側には前記第１側壁（４１）と前記第２側壁（４２）とが位置し、前記第３挿通孔（Ｃ）の両側には前記第２側壁（４２）と前記後端部（３７）からなる側壁とが位置し、
前記前端部（３６）の内面には数字４と前記第１挿通孔（Ａ）を指す矢印、前記第１側壁（４１）の内面には数字４と前記第１挿通孔（Ａ）を指す矢印、前記第１側壁（４１）の外面には数字２と前記第２挿通孔（Ｂ）を指す矢印、前記第２側壁（４２）の内面には数字３と前記第３挿通孔Ｃを指す矢印、第２側壁（４２）の外面には数字２と前記第２挿通孔（Ｂ）を指す矢印、前記後端部（３７）の内面には数字３と前記第３挿通孔（Ｃ）を指す矢印および数字１と前記帯状部３１との間隙（４６）を指す矢印が、それぞれ示してあることを特徴とする前記潜水用浮力調整器。
【請求項３】
前記間隙（４６）を挟んで前記バックル（３２）の前記後端部（３７）と向かい合う前記帯状部（３１）の前記一端部（３３）には、内面に数字１と前記間隙（４６）を指す矢印が示してある請求項２に記載の潜水用浮力調整器。
【発明の詳細な説明】
【０００１】
【発明の属する技術分野】
この発明は、ジャケットの背中側にシリンダバンドを使用してエアーシリンダを固定することが可能な潜水用浮力調整器に関する。
【０００２】
【従来の技術】
従来、浮力調整用空気を導入可能なジャケットと、ジャケットの背中側に設けられたバックプレートとを有し、バックプレートの幅方向ヘ延びるバンドを使用してエアーシリンダをこのバックプレートに固定することができる潜水用浮力調整器は周知である。バンドは、バックプレートの幅方向ヘ延びる帯状部と、バックルとを有し、バックルは連結具を介して帯状部の一端部につなげられている。このバックルは、帯状部の前記一端部の反対端部である自由端部を順次通すことができる複数条の挿通孔を有する。隣り合う挿通孔の間には、帯状部の長さ方向に並列する仕切壁が形成されている。仕切壁のそれぞれには、１，２，３…や、Ａ，Ｂ，Ｃ…等の文字が記され、その文字の順序に従って帯状部の自由端部を挿通孔に通すと、エアーシリンダをバックプレートに固定することができる。
【０００３】
【発明が解決しようとする課題】
前記従来の潜水用浮力調整器では、ダイバーが帯状部の自由端部を挿通孔ヘ通すときに、文字が記された仕切壁の左右どちら側に位置する挿通孔を選ぶべきかに迷うことがある。ダイバーが潜水用浮力調整器を使い慣れていない初心者である場合には、その傾向が特に強く、挿通孔を選ぶ順序を間違えることがある。
【０００４】
この発明は、前記従来の潜水用浮力調整器の改良に係り、バックルに形成された複数条の挿通孔に孔の選択順序を間違えることなく帯状部を通すことができるように改良することを課題にしている。
【０００５】
【課題を解決するための手段】
前記課題解決のために、この発明が対象とするのは、浮力調整用空気を導入可能なジャケットと、前記ジャケットの背中側に設けられたバックプレートと、前記バックプレートの幅方向へ延び前記バックプレートにエアーシリンダを固定可能なシリンダバンドとを有し、前記バンドが、前記バックプレートの幅方向ヘ延びる帯状部と、前記帯状部の一端部に前記帯状部よりも広幅で前記帯状部の前記一端部に対する反対端部を挿通可能な連結具と、前記連結具を介して前記一端部に取り付けられたバックルとを含む潜水用浮力調整器である。
【０００６】
かかる浮力調整器において、この発明が特徴とするところは、次のとおりである。前記バックルは、前記帯状部の幅方向へ延びると共に前記帯状部の長さ方向において並列し、前記反対端部を順次通すことが可能な複数条のバンド挿通孔を有し、前記バンドの長さ方向において前記バンド挿通孔の両側に位置して前記挿通孔の側壁を画成している双方の部位には、前記反対端部を通すときの順序を示す同一の文字と、前記挿通孔を挟んで互いに対向する同一形状の指標とが記されている。なお、この発明において同一の文字というときには、潜水用浮力調整器において、実質的に同じとみなし得る文字を意味している。
【０００７】
【発明の実施の形態】
添付の図面を参照して、この発明に係る潜水用浮力調整器の詳細を説明すると、以下のとおりである。
【０００８】
図１、２は、潜水用浮力調整器１の正面図と背面図とであって、調整器１に取り付けられたエアーシリンダ５が仮想線で示されている。図１では調整器１の一部分が破断図で示されている。
【０００９】
浮力調整器１は、浮力調整用エアーを導入可能なジャケット３と、シリンダバンド２と、クッションパッド４と、クッションパッド４に覆われたバックプレート２２とを有し、ジャケット３は、ショルダーベルト６とウエストベルト７との長さを調節して着用することができる。エアーシリンダ５の頂部に取り付けられたファーストステージ８からはレギュレータホース９がセカンドステージ１１にまで延び、セカンドステージ１１からはインフレーションホース１２がジャケット３の背面部にまで延びている。セカンドステージ１１には、マウスピース１３が取り付けられている。シリンダバンド２は、バックプレート２２の幅方向ヘ延びる帯状部３１がジャケット３の背中側において外側から内側を経て再び外側へ出るもので、帯状部３１の一端部３３に取り付けられたバックル３２を介して長さを調節することによって、エアーシリンダ５をバックプレート２２に固定することができる。バックプレート２２は、ジャケット３の背中側内面に位置し、背中側外面に位置する上下に長い一対の取り付け部材２３と協働してジャケット３の布地を挟み、ボルト２６とナット（図示せず）によって両者２２，２３はジャケット３に固定されている。
【００１０】
図３は、シリンダバンド２の部分斜視図である。バンド２を形成している帯状部３１とバックル３２とのうちの帯状部３１は、その一端部３３に連結具３５を介してバックル３２が取り付けられ、一端部３３の反対端部は、バックル３２に通される自由端部３４を形成している。連結具３５は、金属製丸棒を折曲することにより形成され、帯状部３１の一端部３３とバックル３２の後端部３７との間に帯状部３１の自由端部３４を通すことができるように、これら両端部３３，３７を離間させて間隙４６を形成するとともに、連結具３５自体は帯状部３１よりも広幅に作られている。帯状部３１とバックル３２とは、連結具３５の上下方向へ延びる部分を中心に旋回可能である。バックル３２は、帯状部３１の自由端部３４寄りの前端部３６と、連結具３５寄りの後端部３７と、これら両端部３６，３７をつなぐ上縁部３８と、下縁部３９とを有し、両端部３６，３７間には、帯状部３１の幅方向(図の上下方向)へ長く、帯状部３１の長さ方向に並列する３条のバンド挿通孔Ａ，Ｂ，Ｃが形成されている。隣り合う挿通孔ＡとＢ，ＢとＣは、第１側壁４１と第２側壁４２とによって隔てられており、挿通孔Ａの両側には前端部３６からなる側壁と第１側壁４１とが位置し、挿通孔Ｂの両側には第１側壁４１と第２側壁４２とが位置し、挿通孔Ｃの両側には第２側壁４２と後端部３７からなる側壁とが位置している。これら前後端部３６，３７と第１側壁４１と第２側壁４２とは、エアーシリンダ５と向かい合う内面と、その反対面である外面とを有し、それぞれの内外面には１〜４の数字と矢印からなる指標とが次のように記されている。前端部３６の内面には数字４と挿通孔Ａを指す矢印、第１側壁４１の内面には数字４と挿通孔Ａを指す矢印、第１側壁４１の外面には数字２と挿通孔Ｂを指す矢印、第２側壁４２の内面には数字３と挿通孔Ｃを指す矢印、第２側壁４２の外面には数字２と挿通孔Ｂを指す矢印、後端部３７の内面には数字３と挿通孔Ｃを指す矢印および数字１と帯状部３１との間隙４６を指す矢印。また、間隙４６を挟んでバックル３２の後端部３７と向かい合う帯状部３１の一端部３３には、エアーシリンダ５と向かい合う内面に数字１と間隙４６を指す矢印とを記されていることが好ましい。
【００１１】
図４は、図３のＩＶ−ＩＶ線矢視図であるが、バックル３２に通されたバンド２の帯状部３１が実線で併せて示され、また帯状部３１とバックル３２とは、数字１〜４と矢印の記された部位が鎖線による引出線で示されている。エアーシリンダ５を固定するときには、まずバックル３２が仮想線の如くエアーシリンダ５に対してやや起立した状態に保たれる。帯状部３１の自由端部３４は、帯状部３１とバックル３２とに記された数字１〜４の順序で、これら数字１〜４に付随する矢印が指し示す間隙４６と挿通孔Ａ〜Ｃとに通される。つまり、自由端部３４は、バックル３２の内面側から外面側へ向かって間隙４６に通され、さらに帯状部３１に沿って記された矢印Ｐ，Ｑ，Ｒ，Ｓが示す方向へエアーシリンダ５を締め付けながら進み、挿通孔Ａを出た後に強く引張られ、それと同時にバックル３２が実線のように倒伏され、最後に自由端部３４の片面に取り付けられたマジックテープ等の商品名で知られるメカニカルファスナの雄部材４７（図３を併せて参照）が、それと向かい合う帯状部３１のメカニカルファスナの雌部材４８に止着されてエアーシリンダ５の取り付けが終了する。
【００１２】
この発明では、帯状部３１を通すべきバックル３２の挿通孔Ａ，Ｂ，Ｃそれぞれの両側に位置して側壁を画成している前後端部３６，３７と第１、２側壁４１，４２とのうちの隣り合う双方の側壁の内面および／または外面に挿通の順序を示す番号やローマ字等の文字を記すことができ、好ましくはその文字に矢印等の指標を付随させることができ、これらの文字または文字と矢印とによって挟まれた挿通孔を文字の順序に従って選択し、その文字の記されている内面または外面から帯状部３１を通すようにすることで、エアーシリンダ５をバックプレート２２に固定するときのシリンダバンド２の操作ミスを未然に防ぐことができる。好ましい実施態様では、バックル３２の後端部３７と向かい合う帯状部３１の一端部３３にも文字と記号とを記す。
【００１３】
【発明の効果】
この発明に係る潜水用浮力調整器では、シリンダバンドのバックルに形成された挿通孔の両側を画成する側壁双方の内面および／または外面に挿通孔の選択順序を示す同じ文字または同じ文字と指標とを記したから、これら同じ文字または同じ文字と指標で挟まれた挿通孔を順に選択して帯状部を通せば、バンドの操作を誤ることなくシリンダを固定することができる。
【図面の簡単な説明】
【図１】  潜水用浮力調整器の一部を破断して示す正面図。
【図２】  潜水用浮力調整器の背面斜視図。
【図３】  シリンダバンドの部分図。
【図４】  図３のＩＶ−ＩＶ線矢視図。
【符号の説明】
１      潜水用浮力調整器
２      シリンダバンド
３      ジャケット
２２      バックプレート
３１      帯状部
３２      バックル
３３      一端部
３４      反対端部（自由端部）
３５      連結具
３６      側壁（前端部）
３７      側壁（後端部）
３８      第１縁部
３９      第２縁部
４１      第１側壁
４２      第２側壁
４６      間隙
Ａ      第１挿通孔
Ｂ      第２挿通孔
Ｃ      第３挿通孔
【図１】
0003693579.tif 000002
【図２】
0003693579.tif 000003
【図３】
0003693579.tif 000004
【図４】
0003693579.tif 000005